(57)【特許請求の範囲】
【請求項１】
管寄の長手方向へ所要間隔をあけて多数の伝熱管を接続してなる管寄付き伝熱管パネルの管寄を垂直に配置した状態で、管寄から突設された管台を蓋板で閉塞すると共に、所望の管台から水を張り、管寄並びに伝熱管内に水圧を付与するよう構成した管寄付き伝熱管パネルの水圧試験装置であって、
蓋板を貫通させてエア抜用ホースを管寄内に挿入し、該エア抜用ホースの先端に、水に浮いた状態で水面上に開口するエア抜孔が穿設されたフロート部材を、該フロート部材のエア抜孔がエア抜用ホースを介して大気開放されるよう接続したことを特徴とする管寄付き伝熱管パネルの水圧試験装置。
【請求項２】
エア抜用ホースの基端に、開閉弁が設けられたエア抜配管を接続した請求項１記載の管寄付き伝熱管パネルの水圧試験装置。
【発明の詳細な説明】
【０００１】
【発明の属する技術分野】
本発明は、管寄付き伝熱管パネルの水圧試験装置に関するものである。
【０００２】
【従来の技術】
一般に、ボイラに使用される管寄付き伝熱管パネルは、図３に示される如く、管寄１の長手方向へ所要間隔をあけて多数の伝熱管２を接続してなる構成を有しているが、該管寄付き伝熱管パネルの水圧試験を行う際には、管寄１を垂直に配置した状態で、管寄１から突設された管台３を蓋板４で閉塞すると共に、所望の管台３から水を張り、管寄１並びに伝熱管２内に水圧を付与するようになっている。
【０００３】
前記蓋板４は、図３及び図４に示されるように、先端に掛止片５がピン６を中心として傾倒自在に枢着された軸体７の基端部に、水密性を保持しつつその軸線方向へ摺動自在となるよう嵌装されており、管寄付き伝熱管パネルの水圧試験を行う際には、掛止片５を軸体７の長手方向へ沿うように傾倒させた状態で、管台３内へ挿入し、掛止片５を管台３の管寄１に対する接続部に引っ掛けた後、蓋板４で管台３の開口端を覆うようにしつつ、軸体７の基端部に螺着したナット８を締め付けることにより、蓋板４を管台３の開口端に圧着させるように固定して、該管台３の開口端を閉塞し、水の外部への漏洩を阻止するようになっている。
【０００４】
又、水が供給される管台３に取り付けられる蓋板４の軸体７には、図３に示されるように、基端から先端側へ軸心に沿って延び且つ軸体７の外周面所要箇所に開口する流通路９を形成し、該流通路９に、水圧ポンプ１０から延びる水供給管１１を接続してあり、管寄付き伝熱管パネルの水圧試験を行う際には、他の蓋板４と同様に管台３の開口端を閉塞した状態で、水圧ポンプ１０から水供給管１１と軸体７の流通路９を介して管台３内に水を供給するようになっている。
【０００５】
【発明が解決しようとする課題】
前述の如く、管寄１を垂直に配置した状態で管寄付き伝熱管パネルの水圧試験を行うようにしているのは、主にスペース的な問題、即ち、管寄１を水平に配置した場合には広い場所を必要とするのに対し、管寄１を垂直に配置すれば狭い場所でも一度に多数の管寄付き伝熱管パネルの水圧試験を行うことが可能となるためである。
【０００６】
しかしながら、管寄１を垂直に配置した状態で管寄付き伝熱管パネルの水圧試験を行うようにした場合、管台３から水を入れると、内部のエアが抜けずに管寄１の上部にエアポケットができてしまい、適正な圧力が得られなくなるという欠点を有していた。
【０００７】
このため、従来においては、管寄１の上端に専用の管台（図示せず）を設けることにより、水張り時にエアが抜けるようにすることも行われていたが、このように管寄１の上端に専用の管台を設けるのでは、手間がかかると共に、コストアップにもつながり、好ましくなく、改善が望まれていた。
【０００８】
本発明は、斯かる実情に鑑み、管寄の上端に専用の管台等を設けることなく、水圧試験の際に内部のエアを確実に抜くことができ、適正な圧力で水圧試験を円滑に行い得る管寄付き伝熱管パネルの水圧試験装置を提供しようとするものである。
【０００９】
【課題を解決するための手段】
本発明は、管寄の長手方向へ所要間隔をあけて多数の伝熱管を接続してなる管寄付き伝熱管パネルの管寄を垂直に配置した状態で、管寄から突設された管台を蓋板で閉塞すると共に、所望の管台から水を張り、管寄並びに伝熱管内に水圧を付与するよう構成した管寄付き伝熱管パネルの水圧試験装置であって、
蓋板を貫通させてエア抜用ホースを管寄内に挿入し、該エア抜用ホースの先端に、水に浮いた状態で水面上に開口するエア抜孔が穿設されたフロート部材を、該フロート部材のエア抜孔がエア抜用ホースを介して大気開放されるよう接続したことを特徴とする管寄付き伝熱管パネルの水圧試験装置にかかるものである。
【００１０】
前記管寄付き伝熱管パネルの水圧試験装置においては、エア抜用ホースの基端に、開閉弁が設けられたエア抜配管を接続することができる。
【００１１】
上記手段によれば、以下のような作用が得られる。
【００１２】
管寄付き伝熱管パネルの水圧試験を行う際に、管寄を垂直に配置した状態で、管寄から突設された管台を蓋板で閉塞すると共に、所望の管台から水を張って行くと、フロート部材は、エア抜孔が水面上に開口するように水に浮いた状態となるため、水面が徐々に上昇することに伴い、管寄上部の密閉された空間内に残存する空気は、フロート部材のエア抜孔からエア抜用ホースを介して大気へ排出され、管寄の上端に専用の管台を設けなくても、水張り時にエアが抜けるようになる。
【００１３】
前記管寄付き伝熱管パネルの水圧試験装置において、エア抜用ホースの基端に、開閉弁が設けられたエア抜配管を接続するようにした場合には、管寄上部の密閉された空間内に残存する空気が完全に排出された後、更に水を供給すると、水が前記フロート部材のエア抜孔からエア抜用ホースエア抜配管と開放された開閉弁とを介して排出され、この状態で開閉弁を閉じれば、管寄並びに伝熱管の内部は、水で満たされ、エアが全く存在しない状態となるため、適正な水圧を付与することが可能となる。
【００１４】
【発明の実施の形態】
以下、本発明の実施の形態を図示例と共に説明する。
【００１５】
図１及び図２は本発明を実施する形態の一例であって、図中、図３及び図４と同一の符号を付した部分は同一物を表わしており、基本的な構成は図３及び図４に示す従来のものと同様であるが、本図示例の特徴とするところは、図１及び図２に示す如く、蓋板４を貫通させてシリコンホース等のエア抜用ホース１２を管寄１内に挿入し、該エア抜用ホース１２の先端に、水に浮いた状態で水面上に開口するエア抜孔１３が穿設された樹脂等からなるフロート部材１４を、該フロート部材１４のエア抜孔１３がエア抜用ホース１２を介して大気開放されるよう接続した点にある。
【００１６】
前記エア抜用ホース１２の基端には、開閉弁１５が設けられた鋼管等からなるエア抜配管１６をコネクタ１７を介して接続してある。
【００１７】
次に、上記図示例の作動を説明する。
【００１８】
管寄付き伝熱管パネルの水圧試験を行う際に、管寄１を垂直に配置した状態で、管寄１から突設された管台３を蓋板４で閉塞すると共に、所望の管台３から水を張って行くと、フロート部材１４は、エア抜孔１３が水面上に開口するように水に浮いた状態となるため、水面が徐々に上昇することに伴い、管寄１上部の密閉された空間内に残存する空気は、フロート部材１４のエア抜孔１３からエア抜用ホース１２とコネクタ１７とエア抜配管１６と開放された開閉弁１５とを介して大気へ排出され、管寄１の上端に専用の管台を設けなくても、水張り時にエアが抜けるようになる。
【００１９】
管寄１上部の密閉された空間内に残存する空気が完全に排出された後、更に水を供給すると、水が前記フロート部材１４のエア抜孔１３からエア抜用ホース１２とコネクタ１７とエア抜配管１６と開放された開閉弁１５とを介して排出され、この状態で開閉弁１５を閉じれば、管寄１並びに伝熱管２の内部は、水で満たされ、エアが全く存在しない状態となるため、適正な水圧を付与することが可能となる。
【００２０】
こうして、管寄１の上端に専用の管台等を設けることなく、水圧試験の際に内部のエアを確実に抜くことができ、適正な圧力で水圧試験を円滑に行い得る。
【００２１】
尚、本発明の管寄付き伝熱管パネルの水圧試験装置は、上述の図示例にのみ限定されるものではなく、本発明の要旨を逸脱しない範囲内において種々変更を加え得ることは勿論である。
【００２２】
【発明の効果】
以上、説明したように本発明の管寄付き伝熱管パネルの水圧試験装置によれば、管寄の上端に専用の管台等を設けることなく、水圧試験の際に内部のエアを確実に抜くことができ、適正な圧力で水圧試験を円滑に行い得るという優れた効果を奏し得る。
【図面の簡単な説明】
【図１】本発明を実施する形態の一例の側断面図である。
【図２】本発明を実施する形態の一例におけるフロート部材の拡大図である。
【図３】従来例の側断面図である。
【図４】図３のＩＶ−ＩＶ矢視図である。
【符号の説明】
１  管寄
２  伝熱管
３  管台
４  蓋板
１２  エア抜用ホース
１３  エア抜孔
１４  フロート部材
１５  開閉弁
１６  エア抜配管
【図１】
0004288807.tif 000002
【図２】
0004288807.tif 000003
【図３】
0004288807.tif 000004
【図４】
0004288807.tif 000005